(57)【要約】【課題】サーチ機能とランタン機能の切替が容易な照明装置を提供することを目的とする。【解決手段】電池を電源とし、前記電池と光源を保持する本体ケースと前記電池と光源を電気的に接続する回路部と、前記回路部の電気的接続を切替えるスイッチ手段と、前記本体ケースに保持された光源の光りを周囲に放つように配置された照明ケースと前記照明ケースを覆うように配置され前記照明ケースをスライドするスライドヘッドと前記スライドヘッドに装着され、光源の光を集光及び散光にできる反射鏡で構成され、前記スライドヘッドを動かすことで、容易に光の集光及び散光ができる照明装置。【選択図】図１
2006210042.tif 000002
【特許請求の範囲】
【請求項１】
電池を電源とし、前記電池と光源を保持する本体ケースと前記電池と光源を電気的に接続する回路部と、前記回路部の電気的接続を切替えるスイッチ手段と、前記光源の周囲に配置される照明ケースと、前記照明ケースに被せて配置され前記照明ケース上を移動するスライドヘッドと、前記スライドヘッドに装着される反射鏡を備えており、前記スライドヘッドに装着される反射鏡は、スライドヘッドを光源に近づけた位置にスライドさせた際に光源の光を集光するための部分と、スライドヘッドを光源から遠ざけた位置にスライドさせた際に光源の光を周囲に散乱させるための部分からなる照明装置。
【請求項２】
前記反射鏡の光源光を集光するための部分は、本体ケースの光源に対して凹形状であり、光源光を散光するための部分は、本体ケースの光源に対して凸形状である請求項１記載の照明装置。
【請求項３】
前記反射鏡の光源光を集光するための部分は、本体ケースの光源に対して凹形状であり、光源光を散光するための部分は、本体ケースの光源に対して平面形状である請求項１記載の照明装置。
【請求項４】
前記回路部に光源の明るさを調節する回路が含まれており、前記スイッチ手段に調光が可能であることを特徴とする請求項１〜３のいずれかに記載の照明装置。
【請求項５】
前記光源を発光ダイオードにすることにより、衝撃や、振動で豆球切れの心配が少ないことにを特徴とする請求項１〜４のいずれかに記載の照明装置。
【発明の詳細な説明】
【技術分野】
【０００１】
本発明は、照明装置に係り、とくに電池を電源とし、切り替えによってランタンもしくはサーチライトの機能を呈する照明装置に関するものである。
【背景技術】
【０００２】
反射鏡部分を切り替えることによって、ランタンもしくはサーチライトとして機能させることができる照明装置は、例えば特許文献１に開示されている。ここでは、断面凹型の反射鏡を発光体を底点となるように前記凹型面を上向きにして設置して凹型面内側で集光してサーチライト機能として用いたり、発光体を頂点となるように前記凹型面を下向きにして設置して凹型面外側で反射，散光してランタン機能として用いることが提案されている。
【特許文献１】特開平９−１７２０１号公報
【発明の開示】
【発明が解決しようとする課題】
【０００３】
しかしながら、上記の構成ではランタンまたはサーチライトに切替える場合にその都度、反射鏡部品を組換える必要があり、照明装置の使い勝手が悪いという課題があった。また、部品の組換えを伴うことから、組換えの作業性を考えると部品の小型化には限界があり、照明装置全体の小型化が図れなくなっていた。
【課題を解決するための手段】
【０００４】
このような課題を解決するために、本発明の照明装置は、電池を電源とし、前記電池と光源を保持する本体ケースと前記電池と光源を電気的に接続する回路部と、前記回路部の電気的接続を切替えるスイッチ手段と、前記光源の周囲に配置される照明ケースと、前記照明ケースに被せて配置され前記照明ケース上を移動するスライドヘッドと、前記スライドヘッドに装着される反射鏡を備えており、前記スライドヘッドに装着される反射鏡は、スライドヘッドを光源に近づけた位置にスライドさせた際に光源の光を集光するための部分と、スライドヘッドを光源から遠ざけた位置にスライドさせた際に光源の光を周囲に散乱させるための部分からなるものである。
【０００５】
本発明の照明装置はこのような構成により、使用者が照明装置のランタン機能とサーチライト機能の切替えを容易に行うことができるとともに、照明装置の小型化を実現させることができる。
【発明の効果】
【０００６】
本発明によると上記した構成により、サーチライトとランタン機能を合わせ持った照明装置において、容易にその切替を可能にさせ、ランタン機能の性能を向上せせる照明装置を提供できる。
【発明を実施するための最良の形態】
【０００７】
以下、本発明の実施例を図面を用いて説明する。
【０００８】
図１に示すように、大きく分けて、電池及び光源２を収納する本体ケース１、記本体ケース１に保持された光源２の光りを周囲に放つように配置された照明ケース３、前記照明ケース３を覆うように配置され前記照明ケース３をスライドするスライドヘッド４と、前記スライドヘッド４に装着され、光源２の光を集光及び散光にできる反射鏡５の４ブロックで構成されている。
【０００９】
図２は電気的な接続を示す回路図であるが、光源２は回路部６によって電源である電池７に接続され、電池７から電気エネルギーの供給を受ける。回路部６はスイッチ手段８からの信号により光源２へのエネルギー供給をコントロールし光の調整を行う。
【００１０】
図３は照明装置をサーチライトとして用いる場合の光源２と反射鏡５の位置関係を示した図である。図４は照明装置をランタンとして用いる場合の光源２と反射鏡５の位置関係を示した図である。
【００１１】
上記構成において動作を説明する。本体ケース１に収められた電池７はスイッチ手段８を操作することにより、回路部６を通して電気エネルギーを光源２に与え、光源２は発光する。またスイッチ手段８からの信号により回路部６は光源２への電気エネルギーの供給を変動させ、光源２の調光を行う。電流制御手段Ａ９及び電流制御手段Ｂ１０は回路部６のエネルギー供給をコントロールする１例であるが、例えば電池７をアルカリ乾電池４本（４．８Ｖ）、光源２を白色発光ダイオード（以下ＬＥＤ）（Ｖｆ（ＬＥＤ順方向電圧）：３．６Ｖ）、電流制御手段Ａを抵抗（１２０Ω）、電流制御手段Ｂを抵抗（８Ω）とした場合、スイッチ手段８により、光源２に流れる電流を、１０ｍＡ（電流制御手段Ａ）と１５０ｍＡ（電流制御手段Ｂ）に制御でき、光源２の明るさを、１／１５に調光することができる。明るさを１／１５に調光することで、通常点灯状態に比べて明るさが１／１５になるとともに電池寿命が約１５倍となり、キャンプ等でテント内で使う常夜灯として使うことが可能となる。照明装置をサーチライトとして用いる場合、反射鏡５を取り付けたスライドヘッド４は照明ケース３をふさぐように本体ケース１に接合させる。つまり光源２の光は照明ケースを通して出るものはなく、図３のように、反射鏡５の凹の部分に反射され、光源２の前方に発せられる。よって、図３の光はサーチライトとしてふさわしい光となる。図３の反射鏡５の凹部は、円錐反射鏡と円筒反射鏡を組合わせたもので、他に円錐反射鏡のみのもの、放物曲線反射鏡・球面反射鏡・楕円反射鏡と円筒反射鏡を組合わせたもの、放物曲線反射鏡・球面反射鏡・楕円反射鏡のみのものも考えられる。また照明装置をランタンとして用いる場合は、反射鏡５を取付けたスライドヘッド４は、照明ケース３をスライドさせ、本体ケース１から離したた位置で止める。つまり光源２の光は主に照明ケース３を通して発せられ、反射鏡５の凸の部分に反射され、ランタンの周囲に光が届く。図４の凸部の反射鏡はフラット反射鏡で、その他に放物曲線反射鏡、球面反射鏡、楕円反射鏡も考えられる。図４の例のフラット反射鏡の場合がもっともスライドヘッド４を小さくでき、照明装置全体をコンパクトにできる。
【００１２】
このように本発明の実施例の照明装置によれば、電池７を電源とし、前記電池７と光源２を保持する本体ケース１と前記電池７と光源２を電気的に接続する回路部６と、前記回路部６の電気的接続を切替えるスイッチ手段８と、前記本体ケース１に保持された光源の光を周囲に放つように配置された照明ケース３と前記照明ケースを覆うように配置され前記照明ケース３をスライドするスライドヘッド４と前記スライドヘッド４に装着され、光源２の光を集光及び散光にできる反射鏡５で構成され、前記スライドヘッド４を動かすことで、容易に光の集光及び散光の切替が可能である。
【実施例】
【００１３】
図５は本発明照明装置をランタンとして用いた時の配光特性を示す図であり、図６は従来からあるランタンの配光特性を示す図である。本発明の反射鏡５を用いることで、図５のように、従来からあるランタンの配光特性に比べ広範囲に光を照射することができる。つまりランタンをテーブル等において使う場合に、テーブルをより広く照らすことができる。
【産業上の利用可能性】
【００１４】
本発明の照明装置は、スライドヘッドに装着される反射鏡が、スライドヘッドを光源に近づけた位置にスライドさせた際に光源の光を集光するための部分と、スライドヘッドを光源から遠ざけた位置にスライドさせた際に光源の光を周囲に散乱させるための部分からなるものであるので、サーチ機能とランタン機能の切替を容易にすることが可能になるので、切り替えによってランタンもしくはサーチライトの機能を呈する照明装置等に有用である。
【図面の簡単な説明】
【００１５】
【図１】本発明の照明装置を示す平面図
【図２】本発明の照明装置の回路概略図
【図３】本発明の照明装置をサーチライトとして用いる場合の部分断面図
【図４】本発明の照明装置をランタンとして用いる場合の部分断面図
【図５】本発明の照明装置をランタンとして用いる場合の配光を示す図
【図６】従来のランタンの配光を示す図
【符号の説明】
【００１６】
１    本体ケース
２    光源
３    照明ケース
４    スライドヘッド
５    反射鏡
６    回路部
７    電池
８    スイッチ手段
９    電流制御手段Ａ
１０  電流制御手段Ｂ
【図１】
2006210042.tif 000003
【図２】
2006210042.tif 000004
【図３】
2006210042.tif 000005
【図４】
2006210042.tif 000006
【図５】
2006210042.tif 000007
【図６】
2006210042.tif 000008